(57)【要約】【課題】複数の眼科装置において得た被検眼の画像の表示を携帯端末のディスプレイに支障なく行う。【解決手段】眼科装置が取得した被検眼の画像のデータを受け付ける画像データ受付部１０１と、ディスプレイを備えた携帯端末のディスプレイ規格の情報を受け付けるディスプレイ規格取得部１０２と、取得したディスプレイ規格に対応した前記被検眼の画像の表示形態を選択する表示形態選択部１０３と、選択した表示形態の前記被検眼の画像のデータを前記携帯端末に送信する画像データ送信部１０６とを備えた眼科情報処理装置１００。【選択図】図２
2018174965.tif 000002
【特許請求の範囲】
【請求項１】
眼科装置が取得した被検眼の画像のデータを受け付ける画像データ受付部と、
ディスプレイを備えた携帯端末のディスプレイ規格の情報を受け付けるディスプレイ規格取得部と、
前記ディスプレイ規格取得部で取得したディスプレイ規格に対応した前記被検眼の画像の表示形態を選択する表示形態選択部と、
前記表示形態選択部が選択した表示形態の前記被検眼の画像のデータを前記携帯端末に送信する画像データ送信部と
を備えた眼科情報処理装置。
【請求項２】
前記表示形態選択部は、前記携帯端末の前記ディスプレイに表示されている状態における前記被検眼の前眼部画像が特定の条件を満たす表示形態を選択する請求項１に記載の眼科情報処理装置。
【請求項３】
前記表示形態選択部は、前記携帯端末の前記ディスプレイに表示されている状態における前記被検眼の前眼部画像の表示サイズが特定の大きさ以上である表示形態を選択する請求項２に記載の眼科情報処理装置。
【請求項４】
前記眼科装置の識別情報を取得する眼科装置識別情報取得部を備え、
前記表示形態選択部は、前記眼科装置の前記識別情報に対応した表示レイアウトを選択する請求項１乃至３のいずれか一項に記載の眼科情報処理装置。
【発明の詳細な説明】
【技術分野】
【０００１】
本発明は、眼科情報を処理する技術に関する。
【背景技術】
【０００２】
眼科装置として、被検眼の検査に用いられる自覚検査装置、他覚式検眼装置、前眼部の撮影、眼底の撮影、眼底の血管の血流の測定、眼底の血管の造影撮影を行う装置、更にＯＣＴ(Optical Coherence Tomography:光干渉断層画像診断法）を行う装置、ＳＬＯ(Scanning Laser Ophthalmoscope:走査型レーザー検眼鏡)等が知られている。これらは、単体の装置の場合もあるし、２以上の装置が複合化されている場合もある。特許文献１には、眼科装置を携帯端末で操作する技術が記載されている。
【先行技術文献】
【特許文献】
【０００３】
【特許文献１】特開２０１４−１０４１３０号公報
【発明の概要】
【発明が解決しようとする課題】
【０００４】
複数の眼科装置が得た被検眼の画像をタブレット、スマートフォン、ノート型ＰＣ等の携帯端末のディスプレイ上に表示できると便利である。この技術が実現できると、医師、看護師、装置オペレータ、検査技師、検者、被検者等の間で画像情報が共有でき、また診察や検査の効率化を図ることができる。
【０００５】
ところで、タブレットやスマートフォン等のディスプレイの規格（画面サイズや画素密度）は様々であり、ディスプレイの規格によっては、ディスプレイへの被検眼の画像の表示が上手くいかない場合がある。
【０００６】
このような背景において、本発明は、複数の眼科装置において得た被検眼の画像の表示を携帯端末のディスプレイに支障なく行える技術の提供を目的とする。
【課題を解決するための手段】
【０００７】
請求項１に記載の発明は、眼科装置が取得した被検眼の画像のデータを受け付ける画像データ受付部と、ディスプレイを備えた携帯端末のディスプレイ規格の情報を受け付けるディスプレイ規格取得部と、前記ディスプレイ規格取得部で取得したディスプレイ規格に対応した前記被検眼の画像の表示形態を選択する表示形態選択部と、前記表示形態選択部が選択した表示形態の前記被検眼の画像のデータを前記携帯端末に送信する画像データ送信部とを備えた眼科情報処理装置である。
【０００８】
請求項２に記載の発明は、請求項１に記載の発明において、前記表示形態選択部は、前記携帯端末の前記ディスプレイに表示されている状態における前記被検眼の前眼部画像が特定の条件を満たす表示形態を選択することを特徴とする。
【０００９】
請求項３に記載の発明は、請求項２に記載の発明において、前記表示形態選択部は、前記携帯端末の前記ディスプレイに表示されている状態における前記被検眼の前眼部画像の表示サイズが特定の大きさ以上である表示形態を選択することを特徴とする。
【００１０】
請求項４に記載の発明は、請求項１乃至３のいずれか一項に記載の発明において、前記眼科装置の識別情報を取得する眼科装置識別情報取得部を備え、前記表示形態選択部は、前記眼科装置の前記識別情報に対応した表示レイアウトを選択することを特徴とする。
【発明の効果】
【００１１】
本発明によれば、複数の眼科装置において得た被検眼の画像の表示を携帯端末のディスプレイに支障なく行える。
【図面の簡単な説明】
【００１２】
【図１】実施形態のシステムの概念図である。
【図２】実施形態のブロック図である。
【図３】ディスプレイの規格の一例を示す表である。
【図４】ディスプレイ上での表示の一例を示す図である。
【図５】処理の手順の一例を示すフローチャートである。
【図６】送信データの一例を示す図である。
【発明を実施するための形態】
【００１３】
（構成）
図１に実施形態のシステムの全容を示す。図１のシステムは、例えば眼科のある総合病院において構築される。図１のシステムは、眼科装置１１，１２，１３が含まれている。眼科装置１１，１２，１３には、互いに異なる機種のものが含まれている。眼科装置１１，１２，１３は、ネットワーク回線１０に接続されている。ネットワーク回線１０は、ＬＡＮやインターネット回線により構築されている。回線の規格は特に限定されず、既存のものが利用される。眼科装置１１，１２，１３とネッワーク回線１０との接続は、有線であってもよいし、無線であってもよく、また光通信等も利用可能である。
【００１４】
ネットワーク回路１０には、管理サーバ１５が接続されている。管理サーバ１５は、図１のシステムを運用する病院の電子カルテを扱う。携帯端末１４は、眼科装置１１，１２，１３を用いた診断を受ける被検者が手にする携帯端末である。以下の説明では、携帯端末１４は、病院側から被検者に貸与され、病院内で被検者が持って回り、検査は検者が行う場合を説明する。なお、眼科装置の種類や検査の内容によっては、被検者が眼科装置を操作する態様も可能である。
【００１５】
携帯端末１４は、操作のためのインターフェースと各種の画像を表示するディスプレイ（例えば液晶表示装置やＥＬ表示装置等）を備えている。携帯端末１４としては、タブレット、スマートフォン、ノート型ＰＣ等が挙げられる。なお、携帯端末１４からアクセスできるデータは、各種の認証技術（パスワードによる認証や生体認証等）により保護されており、無制限に各種のデータ（眼科装置による検査内容や電子カルテの内容）にアクセスできるわけではない。携帯端末は、代表的に符号１４のものが一つ示されているが、通常は複数がシステム中に存在する。
【００１６】
眼科情報処理装置１００は、眼科装置１１，１２，１３が取得した被検眼の画像（例えば、眼底画像や前眼部画像等）の携帯端末１４への表示に係る処理を行う。携帯端末１４のディスプレイ１４ａには、画面サイズや画素密度等に多様な規格があり、眼科装置１１が出力する画像データをそのまま表示しても正確な情報が表示できない場合がある。
【００１７】
眼科装置は、その種類に関係なく、必ず被検眼と装置の相対位置関係を決める動作（一般にアライメントと称される）が必要とされる。この動作では、被検眼の前眼部の画像を撮影し、撮影画面中における前眼部の位置の調節が、装置側あるいは被検者側、あるいはその両方を動かすことで行われる。また、前眼部の画像は、被検眼の状態を確認する上で重要である。この意味で、ほとんどの眼科装置には、前眼部の画像（前眼部画像）を撮影する機能を有する。
【００１８】
したがって、携帯端末１４のディスプレイ１４ａ上への前眼部の画像表示は、被検眼の前眼部が適切な状態、つまり観察者（被検者および検者の一方または両方）が前眼部を画像として明確に把握できる状態で行われる必要がある。このための処理が眼科情報処理装置１００において行われる。
【００１９】
図２に眼科情報処理装置１００のブロック図を示す。眼科装置１００は、ネットワークに接続されたサーバや眼科装置の内部に設置される。眼科情報処理装置１００は、画像データ受付部１０１、ディスプレイ規格取得部１０２、表示形態選択部１０３、データ通信部１０４、眼科装置型名取得部１０５、データ記憶部１０６、表示形態変換部１０７を備える。
【００２０】
眼科情報処理装置１００は、市販のＰＣ（パーソナルコンピュータ）やワークステーション、あるいはデータ処理サーバ用のハードウェアを利用して構成されている。図２に示す各機能部は、図示する機能を実現するアプリケーションソフトウェアをコンピュータにインストールし、当該アプリケーションソフトウェアを起動することで実現される。
【００２１】
なお、図２に示す各機能部の一部または全部を専用の演算回路によって構成してもよい。また、ソフトウェア的に構成された機能部と、専用の演算回路によって構成された機能部が混在していてもよい。例えば、図示する各機能部は、ＣＰＵ（Central Processing Unit）、ＡＳＩＣ（Application Specific Integrated Circuit）、ＦＰＧＡ（Field Programmable Gate Array）に代表されるＰＬＤ（Programmable Logic Device）などの電子回路により構成される。
【００２２】
各機能部を専用のハードウェアで構成するのか、ＣＰＵにおけるプログラムの実行によりソフトウェア的に構成するのかは、要求される演算速度、コスト、消費電力等を勘案して決定される。機能部を専用のハードウェアで構成することとソフトウェア的に構成することは、上述した違いはあるが、特定の機能を実現するという観点からは、等価である。
【００２３】
画像データ受付部１０１は、眼科装置１１，１２，１３の一または複数が得た被検眼の画像の画像データを受け付ける。この画像には、被検眼の前眼部画像が含まれる。勿論、ＳＬＯ画像やＯＣＴ画像が含まれていてもよい（これは、眼科装置の機能や機種による）。
【００２４】
ディスプレイ規格取得部１０２は、携帯端末１４のディスプレイ１４ａの規格の情報を取得する。ディスプレイの規格を決める要素としては、画面スケール、画面サイズ、解像度（画素数）、画面密度（単位面積当たりの画素数）が挙げられる。勿論、業界規格として当業者に利用されている規格の種類を扱うこともできる。この例では、市場に流通している携帯端末（タブレットやスマートフォン）のディスプレイの規格を予め調べ、そのいずれの規格であるのかの情報がディスプレイ規格取得部１０２で取得される。図３にディスプレイ規格取得部１０２で扱う規格の一例の一覧を示す。
【００２５】
表示形態選択部１０３は、ディスプレイ規格取得部１０２が取得した携帯端末１４のディスプレイ１４ａの規格に基づき、ディスプレイ１４ａに表示する画面の表示形態を選択する。表示形態は、図３の規格に対応して予め用意しておく。この例では、利用される携帯端末のディスプレイ（例えば、ディスプレイ１４ａ）上に前眼部画像を表示させた際に虹彩部分の直径Ｒ（図４参照）のディスプレイ上における寸法が２５ｍｍ以上となるように縮尺を調整した表示形態を図３のディスプレイ規格に対応させて用意しておき、その中から取得した携帯端末のディスプレイ規格に対応した表示形態が選択される。また、この表示形態では、各種情報の表示やＧＵＩで用いるアイコンの表示も見やすく、また利用しやすい大きさに設定される。
【００２６】
図４には、携帯端末１４のディスプレイ１４ａに前眼部画像が表示された状態が示されている。ここで、虹彩の部分の直径Ｒが２５ｍｍ以上となるように画面の設定が行われている。ディスプレイ１４ａの画面上には、タッチパネル機能を利用した操作のためのアイコン１５が複数表示されている。なお、符号１６が被検眼の前眼部画像の表示が行われる画面上のエリアである。
【００２７】
また、携帯端末のディスプレイ規格に対応した表示形態は、該当するディスプレイに眼科装置が取得した被検眼の画像を表示した際に、被検眼の画像以外の表示（ＧＵＩのためのアイコン表示等）を含めたレイアウトが観察や診察に支障がない形態に調整されている。こうすることで、例えば携帯端末を用いた被検眼と眼科装置の位置合わせを支障なく行うことができる。
【００２８】
また、表示形態選択部１０３は、眼科装置の機種や機能に対応したレイアウトでディスプレイ１４ａ上への表示が行われる表示形態を選択する。眼科装置の種類によって適切な画面表示の形態（レイアウト）は異なる。そこで、各眼科装置に対応した画面レイアウトのフォーマットを予め用意しておき、利用している眼科装置に対応したレイアウトの表示形態が選択される。表示形態は、眼科装置毎および端末のディスプレイ規格毎に必要である。すなわち、表示形態選択部１０３が選択の対象とする表示形態は、眼科装置と端末の種類の組み合わせに応じて複数が必要となる。具体的には、眼科装置と携帯端末の型名の組み合わせに応じて複数の表示形態が予め用意され、そのフォーマットはデータ記憶部１０６に記憶されている。眼科装置の種類や型番は、識別情報（例えば、ＩＤ番号等）により管理されており、当該識別情報に応じて上述した表示形態が用意されている。
【００２９】
データ通信部１０４は、ネットワーク回線１０を介して、眼科装置１１〜１３や管理サーバとの間で通信を行う。図６には、眼科装置１１〜１３から送信されるデータおよび携帯端末１４から送信されるデータの一例が示されている。なお、ネットワーク回線１０を介さず、眼科装置１１〜１３との間で直接通信を行う形態も可能である。
【００３０】
データ記憶部１０６は、眼科情報処理装置１００の動作に必要なデータ（例えば図３のデータ）、動作の結果得られるデータ、眼科情報処理装置１００が受け付けたデータ（入力されたデータ）が記憶される。また、データ記憶部１０６には、上述した表示形態に係るデータが記憶される。
【００３１】
表示形態変換部１０７は、眼科装置１１〜１３から得た被検眼の画像を表示形態選択部１０３で選択された表示形態に変換する。変換された画像は、データ通信部１０４から携帯端末１４に送られ、ディスプレイ１４ａに表示される。
【００３２】
（処理の一例）
以下、検者がタブレット（携帯端末）を用いて眼科装置の操作を行い、被検者の眼科測定を行う場合の例を説明する。利用するタブレットは、病院から被検者に貸与されるものが利用されるが、必ずしもそれに限定されない。例えば、被検者が所有する携帯端末を利用することも可能である。この場合、被検者が所有する携帯端末に図１の携帯端末１４と同様な動作を行うためのアプリケーションソフトウェアをダウンロードする。
【００３３】
図５に処理の一例を示す。処理が開始されると、まず被検者の受け付けが病院の受け付けにおいて行われる（ステップＳ１０１）。この受け付けは、通常の窓口担当者の対応により行われる形式でもよいし、タッチパネルやスマートフォンを操作しての電子受付でもよい。受付が行われ医師による診察の結果、当該被検者の検査内容が決定される（ステップＳ１０２）。ここまでは、通常の病院におけるプロセスと同じである。この例では、特定の眼科装置を用いた眼の検査が検査内容として決定される。
【００３４】
検査内容が決まった被検者には、指定の携帯端末１４が病院側から手渡され、指定の眼科装置（この場合は、眼科装置１１）の所に行く。そこで携帯端末１４は検者に手渡され、以降の当該眼科装置に係る携帯端末１４の操作は、検者により行われる。まず、検者により携帯端末１４が操作され、携帯端末１４と眼科装置１１との間で通信が行われる。（ステップＳ１０３）。この通信は、無線通信や光通信を用いて携帯端末１４と眼科装置１１との間で直接行う形態でもよいし、ネットワーク回線１０を経由して行うのでもよい。この通信により、眼科装置１１は携帯端末１４の識別情報を認識し、他方で携帯端末１４は眼科装置１１の識別情報を認識する。
【００３５】
また、この際、携帯端末１４から眼科情報処理装置１００へのアクセスも行われ、眼科情報処理装置１００は、眼科装置１１と携帯端末１４が組となって検査が開始されることを認識する。すなわち、眼科情報処理装置１００において、眼科装置１１と携帯端末１４とが紐付される。またこの際、眼科情報処理装置１００は、眼科装置１１のＩＤ（識別情報）および携帯端末１４のＩＤ（識別情報）を取得する。これにより、眼科情報処理装置１００は、眼科装置１１と携帯端末１１の仕様に関する情報を認識する。
【００３６】
次に、眼科情報処理装置１００は、ステップＳ１０３で取得した眼科装置１１と携帯端末１４のＩＤ（識別情報）に基づき、携帯端末１４のディスプレイ１４ａにおける表示形態を選択する（ステップＳ１０４）。この処理では、ステップＳ１０３で取得した眼科装置１１の機種データ（眼科装置１１の型名や機種を識別する情報）および携帯端末１４におけるディスプレイ１４ａの規格（図３参照）に基づき、ディスプレイ１４ａの規格および眼科装置１１の型番（機種）に対応した表示形態の選択が行われる。
【００３７】
その後、検者により携帯端末１４が操作され、被検者のＩＤ（ＩＤは予め病院側から付与されている）が携帯端末１４に入力される（ステップＳ１０５）。このＩＤの入力を契機として、携帯端末１４を操作端末として用いて眼科装置１１の操作が可能になり、眼科装置１１の操作が行われる（Ｓ１０６）。
【００３８】
この際、眼科装置１１が得た被検眼の画像の画像データは、眼科情報処理装置１００に送られ、そこでステップＳ１０４で選択された表示形態に変換され、携帯端末１４に送られる。このステップＳ１０４で選択された表示形態に変換された画像がディスプレイ１４ａに表示され、当該画像を見ながら携帯端末１４を用いての検者による眼科装置１１の操作が行われる。ここで、被検者が眼科装置の操作を自ら行うセルフ眼科装置では、被検者自らが携帯端末１４を用いての眼科装置１１の操作を行う。（ステップＳ１０６）。
【００３９】
例えば、ディスプレイ１４ａには、眼科装置１１およびディスプレイ１４ａに適した表示形態に変換された被検眼の前眼部の画像が表示され、検者はそれを見ながら携帯端末１４を操作しアライメント処理を行う。そして、眼科装置１１による検査（例えば、眼底画像の撮影等）が終了したら、測定を完了し（ステップＳ１０７）、結果を管理サーバ１５に送信する。
【００４０】
（優位性）
図３に示すように携帯端末のディスプレイには多様な規格があるが、眼科情報処理装置１００を用いることで、タブレットやスマートフォン等の携帯端末に眼科装置で得た被検眼の画像を表示した際に、被検眼の画像情報が損なわれないフォーマットでの表示が行われる。そのため、携帯端末を用いての眼科装置の操作や携帯端末のディスプレイに表示された被検眼の画像を用いての観察を支障なく行うことができる。また、被検者や医師等の関係者が眼科装置から離れた場所で診断画像を見ることができる優位性が得られる。
【００４１】
（その他）
眼科情報処理装置１００を各眼科装置１１，１２，１３に内蔵させる形態も可能である。  
【符号の説明】
【００４２】
１４…携帯端末、１４ａ…ディスプレイ。
【図１】
2018174965.tif 000003
【図２】
2018174965.tif 000004
【図３】
2018174965.tif 000005
【図４】
2018174965.tif 000006
【図５】
2018174965.tif 000007
【図６】
2018174965.tif 000008